(57)【要約】【課題】ＰＭＩに関する信号を適切に処理し、基地局装置における上りリンク信号の復調を行えるようにする目的とする。【解決手段】異なる複数の空間多重された信号を受信する受信回路を有し、信号を重み付けする係数を移動局装置Ｂへ通知する機能を備えた基地局装置Ａにおいて、移動局装置Ｂから基地局装置Ａへ送信する信号に重み付けするための２つ以上の重み係数を、異なるチャネルを用いて移動局装置Ｂへ通知し（４０３〜４０５）、基地局装置Ａと通信する移動局装置Ｂは、基地局装置Ａから受信した重み係数のうちのいずれかを選択し、重み係数を利用して重み付けられた送信信号とともに、送信された重み係数のうちのいずれを選択したかを表す第１の信号を基地局装置Ａへ送信する（４０９）。【選択図】図４
2010098580.tif 000002
【特許請求の範囲】
【請求項１】
異なる複数の空間多重された信号を受信する受信回路を有し、前記信号を重み付けする係数を移動局装置へ通知する機能を備えた基地局装置において、
前記移動局装置から前記基地局装置へ送信する信号に重み付けするための２つ以上の重み係数を、異なるチャネルを用いて前記移動局装置へ通知することを特徴とする基地局装置。
【請求項２】
請求項１記載の基地局装置と通信する移動局装置であって、
前記基地局装置から受信した前記重み係数のうちのいずれかを選択し、前記重み係数を利用して重み付けられた送信信号とともに、送信された重み係数のうちのいずれを選択したかを表す第１の信号を前記基地局装置へ送信することを特徴とする移動局装置。
【請求項３】
請求項２に記載の移動局装置から送信される信号を受信し、前記第１の信号を抽出後、前記抽出した第１の信号に基づき、送信信号を復調することを特徴とする請求項１に記載の基地局装置。
【請求項４】
異なる複数の空間多重された信号を受信する受信回路を有し、前記信号を重み付けする係数を移動局装置へ通知する機能を備えた基地局装置において、
前記移動局装置から前記基地局装置へ送信する信号に重み付けるするための１つ以上の重み係数を前記移動局装置へ送信し、
前記重み係数は上りリンク信号の割り当て情報とは異なるチャネルを用いて前記移動局装置へ通知することを特徴とする基地局装置。
【請求項５】
請求項４に記載の基地局装置と通信する移動局装置であって、
前記基地局装置から受信した前記重み係数のうちいずれかを利用して送信信号の重み付け処理を行うか、もしくは、重み付けを行わないで送信信号の処理を行い、
前記送信信号とともに送信された重み係数のいずれを選択したか、もしくは利用しなかったかを表す信号を前記基地局装置へ送信することを特徴とする請求項４に記載の移動局装置。
【請求項６】
請求項４記載に記載の基地局装置と通信する移動局装置であって、
前記基地局装置から受信した前記重み係数のうちいずれかを利用して送信信号の重み付け処理を行うか、もしくは、重み付けを行わないか、もしくは、過去に利用した重み係数で送信信号の処理を行い、
前記送信信号とともに送信された重み係数のいずれを選択したか、もしくは利用しなかったか、もしくは過去に利用した重み係数を利用したことを表す識別信号を前記基地局装置へ送信することを特徴とする移動局装置。
【請求項７】
過去に利用した重み係数をあらかじめ決められた期間保持していることを特徴とする請求項６記載の移動局装置。
【請求項８】
請求項６記載の移動局装置と通信する基地局装置であって、前記移動局装置から送信される信号を前記識別信号に基づいて復調することを特徴とする基地局装置。
【請求項９】
請求項１又は４に記載の基地局装置であって、
前記移動局装置へ通知した複数の重みづけ係数を用いて、前記移動局装置から送信された信号の復調処理を行い、誤り検出することなく復調した信号を送信系列とすることを特徴とする基地局装置。
【請求項１０】
異なる複数の空間多重された信号を受信する受信回路を有し、前記信号を重み付けする係数を移動局装置へ通知する機能を備えた基地局装置であって、前記移動局装置から前記基地局装置へ送信する信号に重み付けするための２つ以上の重み係数を、異なるチャネルを用いて前記移動局装置へ通知することを特徴とする基地局装置と、
前記基地局装置と通信する移動局装置であって、前記基地局装置から受信した前記重み係数のうちのいずれかを選択し、前記重み係数を利用して重み付けられた送信信号とともに、送信された重み係数のうちのいずれを選択したかを表す第１の信号を前記基地局装置へ送信することを特徴とする移動局装置と、を備えた通信システム。
【請求項１１】
異なる複数の空間多重された信号を受信する受信回路を有し、前記信号を重み付けする係数を移動局装置へ通知する機能を備えた基地局装置であって、前記移動局装置から前記基地局装置へ送信する信号に重み付けるするための１つ以上の重み係数を前記移動局装置へ送信し、前記重み係数は上りリンク信号の割り当て情報とは異なるチャネルを用いて前記移動局装置へ通知することを特徴とする基地局装置と、
前記基地局装置と通信する移動局装置であって、前記基地局装置から受信した前記重み係数のうちいずれかを利用して送信信号の重み付け処理を行うか、もしくは、重み付けを行わないで送信信号の処理を行い、前記送信信号とともに送信された重み係数のいずれを選択したか、もしくは利用しなかったかを表す信号を前記基地局装置へ送信することを特徴とする移動局装置と、を備えた通信システム。
【請求項１２】
異なる複数の空間多重された信号を受信する受信回路を有し、前記信号を重み付けする係数を移動局装置へ通知する機能を備えた基地局装置において、
前記移動局装置から前記基地局装置へ送信する信号に重み付けするための２つ以上の重み係数を、異なるチャネルを用いて前記移動局装置へ通知するステップと、
前記基地局装置と通信する移動局装置において、
前記基地局装置から受信した前記重み係数のうちのいずれかを選択し、前記重み係数を利用して重み付けられた送信信号とともに、送信された重み係数のうちのいずれを選択したかを表す第１の信号を前記基地局装置へ送信するステップと、を有することを特徴とする通信方法。
【請求項１３】
異なる複数の空間多重された信号を受信する受信回路を有し、前記信号を重み付けする係数を移動局装置へ通知する機能を備えた基地局装置において、
前記移動局装置から前記基地局装置へ送信する信号に重み付けるするための１つ以上の重み係数を前記移動局装置へ送信し、前記重み係数は上りリンク信号の割り当て情報とは異なるチャネルを用いて前記基地局装置へ通知するステップと、
前記基地局装置と通信する移動局装置において、
前記基地局装置から受信した前記重み係数のうちいずれかを利用して送信信号の重み付け処理を行うか、もしくは、重み付けを行わないで送信信号の処理を行い、前記送信信号とともに送信された重み係数のいずれを選択したか、もしくは利用しなかったかを表す信号を前記基地局装置へ送信するステップと、を有することを特徴とする通信方法。
【請求項１４】
請求項１２又は１３に記載の方法をコンピュータに実行させるためのプログラム。
【請求項１５】
請求項１４に記載のプログラムを記録するコンピュータ読み取り可能な記録媒体。
【発明の詳細な説明】
【技術分野】
【０００１】
本発明は、上りリンク信号に対して前処理を行うシステムについて、前処理の系列を送信および受信する基地局装置、移動局装置および移動通信方法に関する。尚、本明細書において、重み付け係数のことをプレコーダと称する。
【背景技術】
【０００２】
次世代セルラー移動通信の一方式として、国際的な標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）とＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）を発展させたネットワークの仕様に関して検討が行われている。
【０００３】
３ＧＰＰでは、以前からセルラー移動通信方式について検討されており、第３世代セルラー移動通信方式として、Ｗ−ＣＤＭＡ方式が標準化された。また、通信速度を更に向上したＨＳＤＰＡ（Ｈｉｇｈ−Ｓｐｅｅｄ  Ｄｏｗｎｌｉｎｋ  Ｐａｃｋｅｔ  Ａｃｃｅｓｓ）も標準化され、サービスが運用されている。現在、３ＧＰＰでは、第３世代無線アクセス技術の進化（Ｌｏｎｇ Ｔｅｒｍ Ｅｖｏｌｕｔｉｏｎ：  以下、「ＬＴＥ」と呼ぶ）や、さらなる通信速度の高速化へ向けたＬＴＥ Ａｄｖａｎｃｅｄ(以下、「ＬＴＥ−Ａ」と呼ぶ)についても検討が行われている。
【０００４】
ＬＴＥでは、１フレーム（１０ｍｓ）が時間で区切られた一つの単位であり、さらに１フレームは１０サブフレームで構成される。基地局から移動局への下り回線の伝送においては、１サブフレームに下り制御用チャネル（ＰＤＣＣＨ：Ｐｈｙｓｉｃａｌ Ｄｏｗｎｌｉｎｋ Ｃｏｎｔｒｏｌ Ｃｈａｎｎｅｌ）と高速下り共用チャネル（ＰＤＳＣＨ：Ｐｈｙｓｉｃａｌ Ｄｏｗｎｌｉｎｋ Ｓｈａｒｅｄ Ｃｈａｎｎｅｌ）とが含まれる。ＰＤＣＣＨは、各基地局から各移動局へ制御情報を送信するために用いられるチャネルである。
【０００５】
一方、ＰＤＳＣＨは、各基地局からそれぞれの移動局へＰＤＣＣＨで送信された制御情報を基にデータを送信するために用いられるチャネルである。ＰＤＣＣＨでは、上りデータ伝送関連情報と下りデータ伝送関連情報などが伝送される（それぞれ「アップリンクグラント」、「ダウンリンクグラント」、双方を併せて「グラント」と呼ぶ）。移動局に送信される複数のグラントは、送信前にインタリーブ処理され、ＰＤＣＣＨに含められる。アップリンクグラントには、変調方式や符号化率、割り当てられたリソースに関する情報など、アップリンク情報を正しく受信・復調するために必要な制御情報が含まれている。ダウンリンクグラントには、変調方式や符号化率、割り当てられたリソースに関する情報が含まれている。
【０００６】
ここで、変調方式や符号化率を決定するためには、ＡＭＣＳ（Ａｄａｐｔｉｖｅ   Ｍｏｄｕｌａｔｉｏｎ  ａｎｄ  Ｃｏｄｉｎｇ  Ｓｃｈｅｍｅ）などの技術が検討されている。ここで、ＡＭＣＳとは、高速パケットデータ伝送を効率的に行うために、各移動局装置の伝播路状況に応じて、ＭＣＳ（Modulation Coding Scheme：誤り訂正の符号化率とデータ変調レベル）を切り替える方式である。例えば、データ変調については、伝播路状況が良好になるに従って、ＱＰＳＫ（Ｑｕａｄｒａｔｕｒｅ  Ｐｈａｓｅ  Ｓｈｉｆｔ  Ｋｅｙｉｎｇ）変調から、１６ＱＡＭ（Ｑｕａｄｒａｔｕｒｅ  Ａｍｐｌｉｔｕｄｅ  Ｍｏｄｕｌａｔｉｏｎ）変調、６４ＱＡＭ変調など、より伝送効率の高い多値変調方式に切り替えることで、移動通信システムの最大スループットを増大させることができる。
【０００７】
ＬＴＥ−Ａでは、通信容量を大幅に増大するために、上りリンクに対してＭＩＭＯ(Multiple Input Multiple Output)による空間多重技術の適用が検討されている。ＭＩＭＯによる空間多重では、複数の送信機から異なる情報データ系列を並列送信して空間的に多重することにより、高速信号伝送を実現する。受信機では、複数の信号が受信されるため、無線伝送路の違いを利用して元の複数の信号系列に分離する。ここで、ＭＩＭＯの空間多重技術によるスループット増大効果は、この信号分離精度に大きく依存する。
【０００８】
信号分離精度を向上するための技術的手段として、送信信号に対して、伝搬路状況に応じた重みを乗積する(これを「プレコーディング」と呼ぶ)ことが有効である。最適な重みは伝搬環境に依存し、使用する周波数によって変化するため、上りリンクと下りリンクにおいて異なる周波数を使用するシステムにおいては受信機側で計算されるプレコーダ（重み付け係数）を送信機側へフィードバックする必要がある。プレコーダは送信アンテナ数と受信アンテナ数に対応した行列で表わされる情報であり、これをそのままフィードバックすることはオーバーヘッドの観点から非現実的である。これに対して、送信機と受信機であらかじめプレコーダのリストを保持しておき、（これを「コードブック」と呼ぶ。）、この要素のうちの一つを指し示すインデックスのみをフィードバックすることが有効である。このインデックスを「ＰＭＩ（Ｐｒｅｃｏｄｉｎｇ  Ｍａｔｒｉｘ  Ｉｎｄｅｘ）」と呼ぶ。ここで、ＰＭＩにはワイドバンドＰＭＩとサブバンドＰＭＩという２種類がある。ワイドバンドＰＭＩは、全周波数に渡って有効なＰＭＩであり、サブバンドＰＭＩは、ある周波数サイズごとに有効なＰＭＩである。サブバンドＰＭＩはワイドバンドＰＭＩよりも狭い周波数領域にしか適用できず、受信機へ通知するために周波数リソースを多く利用するが、高い信号分離精度が得られる。従って、ＰＭＩに要するオーバーヘッドを抑えつつ、特性改善を行うためには、適切な周波数サイズごとに一つのＰＭＩ（サブバンドＰＭＩ）を利用することが望ましい。
【０００９】
一方、ＬＴＥにおいて、上り・下りリンクリソースの割り当てとそれに信号送信のために必要な情報の通知は、基地局装置からそれぞれの移動局装置へ制御信号（アップリンクグラント、ダウンリンクグラント）が送信されることによって行われる。
【００１０】
図３は、１サブフレーム中のＰＤＣＣＨにおける複数のグラント候補とその候補から移動局装置に適合したグラントを探索する処理の流れの概略を示す図である。図３に示すように、基地局装置から移動局装置へ送信されるサブフレーム（３１０）は、ＰＤＣＣＨ（３１１）とＰＤＳＣＨ（３１２）とから構成される。サブフレーム３１０では、横軸が時間、縦軸が周波数を示している。ここで、グラントは畳み込み符号により符号化され、誤り検出のためのチェックビット（ここではＣＲＣ：Ｃｙｃｌｉｃ  Ｒｅｄｕｎｄａｎｃｙ  Ｃｈｅｃｋを想定する）が付加された後、基地局装置と通信する全ての移動局装置に対して共通であるＰＤＣＣＨの中に多重して送信される。さらに、グラントはＰＤＣＣＨにインタリーバされた状態でＰＤＣＣＨに多重されている。各移動局装置はＰＤＣＣＨを受信後、ＰＤＣＣＨにデインタリーブを行うことにより（３１５）、多重されたグラント群（３２０）を取り出すことが可能となる。多重されたグラント群３２０は、グラントＡからグラントＦまで様々なビットサイズで多重されている。グラントＡからグラントＦは、自装置を含めた複数の移動局装置のグラント群であるが、実際にはグラントＡからＦは分散配置となっている。
【００１１】
続いて、グラント群から自装置宛てのグラントの候補（例えば３２１、３２２、３２３）を抽出し、誤り訂正符号化された信号系列を復号し（３３１）、復号された信号系列と移動局装置のＩＤにおけるＣＲＣの誤り検出結果として（３３３、３３５）誤りなく復調されることにより、自装置宛のグラントを取得する（３３７、３４１）。移動局装置のＩＤとは、各移動局装置において固有の数字であり、ＣＲＣを用いることにより誤りがない場合に自装置宛てのグラントと判断することが可能である。ここで、それぞれのグラントの開始位置はあらかじめ特定可能であるため、グラントの復号過程においてグラントの検出のために必要な検出処理数を低減している。このとき、グラントが様々なビットサイズをとり得る場合には、一つの候補ごとに復号処理が必要であり、そのビットサイズの候補ごとに復号処理を行わなければならない。つまり、グラントのビットサイズの候補が多いほど、グラントの検出のために受信機の負荷が増大することから、グラントのビットサイズの候補を少なくすることが望ましい。
【００１２】
この観点から、上りリンクＭＩＭＯにプレコーディングを適用する場合であり、かつ、アップリンクグラントにおいて移動局装置にＰＭＩを通知することを想定したとき、周波数ごとに異なるＰＭＩをアップリンクグラントに含めるとＰＭＩのサイズが可変となり、上記で示したように、アップリンクグラントを検出する際の復調処理数が増加し、復調器におけるオーバーヘッドが問題となる。
【００１３】
これに対して、非特許文献１には、このオーバーヘッドの問題に対して、ＰＤＣＣＨではなく、ＰＤＳＣＨに制御情報を含めて送信することが提案されている。これを拡張して、上りリンクＭＩＭＯにおいて、複数のＰＭＩの割り当てを行う際は、ＰＤＣＣＨにおけるアップリンクグラントではなく、ＰＤＳＣＨを用いることが考えられる。一方、ＰＤＳＣＨを用いて複数のＰＭＩを通知する場合、これらのＰＭＩの割り当て情報は、ダウンリンクグラントにより通知される。
【００１４】
つまり、上りリンクＭＩＭＯにおいてＰＤＳＣＨを用いてＰＭＩを通知する場合、ＰＭＩの割り当て情報とＰＭＩは、別々に送信されることになる。
【００１５】
【非特許文献１】“Ｌ１/Ｌ２ Ｃｏｎｔｒｏｌ  Ｃｈａｎｎｅｌ  Ｓｔｒｕｃｔｕｒｅ  ｆｏｒ  Ｅ−ＵＴＲＡ  Ｄｏｗｎｌｉｎｋ”，  ３ＧＰＰ  ＴＳＧ  ＲＡＮ  ＷＧ１  ＬＴＥ＿Ａｄ−ｈｏｃ，  Ｒ１−０６００３２
【発明の開示】
【発明が解決しようとする課題】
【００１６】
上記のような方法を用い、上りリンクＭＩＭＯにおいて、ＰＭＩに関する処理を行う場合、アップリンクグラント、ダウンリンクグラント、ＰＤＳＣＨのそれぞれを正しく受信できなければならない。尚、ＰＤＳＣＨにおけるＰＭＩの割り当て情報は、ダウンリンクグラントによって通知される。このとき、ＰＭＩはその都度、つまりダウンリンクグラントを取得した同一サブフレーム内でのみ有効であり、ダウンリンクグラントを正しく受信できない場合、ＰＤＳＣＨの受信状態に関わらずＰＭＩを取得できない。また、アップリンクグラントは、上りリンク信号の変調レベルや送信タイミングなどの情報を含んでおり、正しく受信できない場合には、ＰＭＩを利用可能かどうかに関わらず、信号を送信することはできない。
【００１７】
このとき、再送処理などを行い、アップリンクグラントを取得する場合においても、上記で述べたようにＰＭＩが同一サブフレーム内でのみ有効であることから、再送処理の遅延により同一サブフレーム内で信号を送信することはできず、ＰＭＩを利用することはできない。つまり、（ケース１）アップリンクグラントが正しく受信できず、上りリンク信号送信のために再送処理を必要とする場合、（ケース２）アップリンクグラントが正しく受信でき、ダウンリンクグラントが正しく受信できず、ＰＤＳＣＨのＰＭＩを取得できない場合、（ケース３）アップリンクグラント、ダウンリンクグラントともに正しく受信でき、ＰＤＳＣＨを正しく受信できない場合の３ケースにおいて、ＰＭＩを利用することはできず、何らかの対策を講じる必要がある。これらの場合、ＰＭＩを利用できないために、基地局装置の指示に従った上りリンク信号の送信ができなくなるため、基地局装置における上りリンク信号の検出が困難になり、これに対応した処理手順の定義が必要になる。
【００１８】
本発明は、ＰＭＩに関する信号を適切に処理し、基地局装置における上りリンク信号の復調を行えるようにする目的とする。
【課題を解決するための手段】
【００１９】
上記課題を解決する第１の技術手段は、アップリンクグラントを用いてワイドバンドＰＭＩ（全周波数に適用可能なＰＭＩ）を通知することである。移動局装置がサブバンドＰＭＩを正しく受信できれば、移動局装置はこのサブバンドＰＭＩを用いてプレコーディングを行う。一方、移動局装置がサブバンドＰＭＩを正しく受信できない場合には、ワイドバンドＰＭＩを用いてプレコーディングを行う。基地局装置はどちらの場合も想定し、上りの信号を復調する。または、上りリンク信号にワイドバンドＰＭＩを利用したか、サブバンドＰＭＩを利用したかを表す情報を送る。このワイドバンドＰＭＩを利用したか、サブバンドＰＭＩを利用したかを表す情報はワイドバンドＰＭＩにてプレコーディングを行い通知し、その情報に基づいて上りリンク信号を復調する。
【００２０】
第２の技術手段は、上りリンク信号を復調する際、プレコーディングを行った場合と行わなかった場合の両方を想定し、復調することである。移動局装置がサブバンドＰＭＩを正しく受信できれば、移動局装置はこのサブバンドＰＭＩを用いてプレコーディングを行う。一方、移動局装置がサブバンドＰＭＩを正しく受信できない場合には、プレコーディングを行わない。移動局装置は、プレコーディングの有無に関わらず、上りリンク信号の送信を行う。基地局装置は復調する際、まず、サブバンドＰＭＩを利用したと想定して復調する。このとき、正しく復調できなかった場合には、サブバンドＰＭＩを利用しなかったと想定して復調する。または、サブバンドＰＭＩを利用したかを表す情報を上りリンク信号に含め通知する。このとき、基地局装置は、プレコーディングの有無を表す情報により、サブバンドＰＭＩを利用できなかった場合においても、上りリンク信号を復調することが可能となる。
【００２１】
第３の技術手段は、上りリンク信号をプレコーディングする際に、サブバンドＰＭＩを利用できなかった場合、直前の送信タイミングで利用したサブバンドＰＭＩを利用してプレコーディングを行うことである。移動局装置がサブバンドＰＭＩを正しく受信できる場合、移動局装置はこのサブバンドＰＭＩを利用する。一方、移動局装置がサブバンドＰＭＩを正しく受信できない場合、移動局装置は直前の送信タイミングで利用したサブバンドＰＭＩを利用する。基地局装置は復調する際、まず、現在の送信タイミングにおいて通知したサブバンドＰＭＩが利用されたと想定して上りリンク信号を復調する。このとき、正しく復調できなかった場合には、直前の送信タイミングで利用したサブバンドＰＭＩが利用されたと想定して上りリンク信号を復調する。
【発明の効果】
【００２２】
本発明によれば、上りリンクに対するＭＩＭＯ空間多重におけるグラントとＰＭＩが別々に送信される場合に、利用可能なプレコーダが定義される、または、プレコーダの利用を中止することにより、移動局装置と基地局装置間におけるプレコーダの不一致による特性劣化を低減することができる。さらに、移動局装置から送信されたプレコーダの情報（利用したプレコーダやプレコーダ利用の有無を示す情報）がアップリンクデータと同時に送信されるため、基地局装置で複数のＰＭＩ候補を想定した復調を行うことを回避することができる。また、受信機の処理を軽減することも可能である。
【発明を実施するための最良の形態】
【００２３】
以下、本発明の実施の形態による通信技術について、図面を参照しながら説明する。尚、以下の説明において、本発明を移動通信システムとして具現化する場合について例示的に説明するが、本発明は、この例示に限定されるものではない。例えば、移動通信方法なども本発明の範疇に入るものである。
【００２４】
（第１の実施の形態）
本発明の第１の実施の形態による移動通信システムは、基地局装置と移動局装置とを有している。
【００２５】
本発明の第１の実施の形態による移動通信システムは、基地局装置Ａと移動局装置Ｂとを有している。図１、図２は、それぞれ、本実施の形態による基地局装置と移動局装置との一構成例を示す機能ブロック図である。図１に示す基地局装置Ａは、送信部１１０、スケジューリング部１２０、受信部１３０、アンテナ１４０、を備えている。送信部１１０は、変調・多重化・マッピング部１１１と無線送信部１１２を備えている。スケジューリング部１２０は、上りリンクスケジューリング部１２１と下りリンクスケジューリング部１２２と、から構成され、下りリンクスケジューリング１２２部は、ＭＣＳ制御１２６、ダウンリンクグラント生成部１２６を含み、上りリンクスケジューリング部１２１はプレコーダ算出部１２３、ＭＣＳ制御部１２４、アップリンクグラント生成部１２５を含む。受信部１３０は無線受信部１３２、上りリンク品質計算部１３３、復調・データ分離部１３１を備えている。以下に基地局装置の構成に基づく動作について説明する。
【００２６】
送信部１１０において、上位レイヤからのデータと制御情報と、上りリンクスケジューリング部１２１、下りリンクスケジューリング部１２２の情報は、変調・多重化・マッピング部１１１に入力され、送信方式に応じた信号列に変換される。一例として、入力されたデータは下りリンクスケジューリング部により指定されるＭＣＳに応じた変調、誤り訂正ビットが付与され、プレコーダ算出部１２３によるプレコーダの情報を含めてデータ送信用のチャネルに配置される。ダウンリンクグラント生成部１２７、アップリンクグラント生成部１２５により生成されるグラントは、その他の制御情報を含めて制御チャネルに配置される。さらに、プレコーダ算出部１２３において生成された上りリンク信号に適用するプレコーダもこれらの情報はすべての移動局装置に対して送信されるデータを含めて多重化され、送信方式に則した信号へのマッピングが行われる。変調・多重化・マッピング部１１１の出力は無線送信部１１２に供給され、ベースバンド帯から搬送波周波数への変換を含め無線で送信可能な信号の系列に変換する。無線送信部１１２の出力はアンテナ１４０を経由して移動局装置へと送信される。
【００２７】
受信部１３０において、アンテナ１４０を経由して入力される上りリンク信号を無線受信部１３２で受信する。受信された信号は上りリンク品質計算部１３３において、上りリンク信号の周波数帯域ごとの品質を計算する。その出力は上りリンクスケジューリング部１２１に入力され、プレコーダ算出やＭＣＳ算出に利用される。無線受信部１３２の出力はさらに１３１の復調・データ分離部に入力され、上りリンク信号の復調に利用される制御情報と上位レイヤへ渡すデータに分けられる。上りリンク信号の復調に利用される制御情報とは、例えば、上りリンク信号に適用するプレコーダなどのことであり、上りリンクスケジューリング部における１２３のプレコーダ算出部を参照の基、１３１の復調・データ分離部において、上りリンク信号を復調する。また、上りリンク信号に適用されたプレコーダに関する情報を含まない場合、１３１の復調・データ分離部では、プレコーダ算出部におけるプレコーダの候補を基に復調する、またはプレコーダが利用されなかったことを想定して復調する。
【００２８】
上りリンクスケジューリング部１２１は、上りリンクのスケジュールに必要な情報を収集し、スケジュールを行うとともに、各移動局装置に対するアップリンクグラントを生成するものである。ここでは、上りリンクの品質情報からプレコーダを算出し、その場合のＭＣＳを算出し、それに伴ったアップリングラントを生成する機能を有している。算出されるプレコーダは周波数ブロックごとに異なるものを算出でき、その値はダウンリンクグラントとともに送信部１１０の変調・多重化・マッピング部に提供され、移動局装置Ｂに通知される。
【００２９】
下りリンクスケジューリング部１２２は下りリンクのスケジュールに必要な情報を収集し、スケジュールを行うとともに、各移動局装置に対するダウンリンクグラントを生成するものである。ＭＣＳを算出し、それに伴ったダウンリングラントを生成する機能を有している。算出されるプレコーダは周波数ブロックごとに異なるものを算出でき、その値は送信部１１０の変調・多重化・マッピング部に提供される。
【００３０】
以下に移動局装置Ｂの構成について示す。図２に示す移動局装置Ｂは、送信部２１０、スケジューリング部２２０、受信部２３０、アンテナ２４０、を備えている。受信部２３０において、アンテナ２４０を経由して入力される基地局装置Ａによって送信された下りリンク信号を無線受信部２３２で受信する。無線受信部２３２の出力信号は下りリンク制御情報管理部２２１の出力とともに復調・データ分離部２３１へ入力され、アップリンクグラント、ダウンリンクグラント、上りリンクデータに適用するプレコーダ、自局宛のデータ信号を抽出する。アップリンクグラント、及び、上りリンク信号に適用するプレコーダの情報はスケジューリング２２０のうち上りリンク制御情報管理部２２２へ供給され、ダウンリンクグラントは下りリンク制御情報管理部２２１へ供給される。
【００３１】
スケジューリング部２２０は、グラントを元に上り・下りリンク信号を管理する機能を持つ。下りリンク制御情報管理部２２１は、基地局装置から送信されたダウンリンクグラントを管理し、そのダウンリンクグラントに記載されたスケジュールで送信される自局宛のデータを正しく受信するための管理を行う。具体的に、下りリンク制御情報管理部２２１は、ダウンリンクグラント部２２３を含み、基地局装置から送信されたダウンリンクグラントを管理し、そのダウンリンクグラントに記載されたスケジュールで送信される下りリンク信号を正しく抽出するための制御信号を復調・データ分離部２３１へ提供する。上りリンク制御情報管理部２２２は、プレコーダ管理・制御部２２４、ＭＣＳ管理・制御部２２５、アップリンクグラント管理部２２６を含み、復調・データ分離部２３１から提供されるアップリンクグラントとプレコーダを管理し、アップリンクグラントに記載されたＭＣＳ、プレコーダ、リソースの利用に従った上りリンク送信を行うよう、変調部２１１、プレコーディング部２１２、マッピング部２１３、へ制御情報を提供する。
【００３２】
送信部２１０は、変調部２１１、プレコーディング部２１２、マッピング部２１３および無線送信部２１４から構成される。上位レイヤから渡される制御情報およびデータは上りリンク制御情報管理部２２２より提供される制御情報とともに変調部２１１へ提供され、基地局装置Ａから指定された変調方式の信号へと変換される。変調部２１１の出力信号は上りリンク制御情報管理部２２２により提供される制御情報とともにプレコーディング部２１２に入力され、基地局装置Ａに指定された周波数ブロック毎のプレコーディングが行われる。
【００３３】
プレコーディング部２１２の出力信号は上りリンク制御情報管理部２２２とともにマッピング部２１３に入力され、基地局装置Ａの指示に従ったマッピングを行う。ここで、プレコーダを利用できない場合には、２１２のプレコーディング部はプレコーディングを行わず通過し、２１３のマッピング部に入力し、基地局装置Ａの指示を基にマッピングする。例えば、ＳＣ−ＦＤＭＡが利用されている場合は、指定された周波数帯域へと送信信号を配置する。マッピング部２１３の出力信号は無線送信部２１４へ提供され、利用される搬送派周波数に変換、必要な周波数フィルタリングなどを行ったのち、アンテナ２４０を介して基地局装置Ａへ送信される。一方、利用したプレコーダに関する情報は、２１１の変調部において基地局装置Ａから指定された変調方式の信号へと変換し、２１２のプレコーディング部において基地局に指定されたプレコーディングを行い、２１３のマッピング部で基地局装置Ａの指示に従ったマッピングを行った後、上りリンク信号に含めても良い。ここで、プレコーダに関する情報とは、プレコーダの利用の有無、プレコーダの種類を示す信号である。プレコーダを利用できない場合には、プレコーダに関する情報は、２１１の変調部の変調方式の信号へ変換後、２１２のプレコーディング部はプレコーディングを行わず、２１３のマッピング部で基地局装置Ａの指示に従いマッピングを行う。
【００３４】
図４は、本実施の形態による移動通信システムにおける、基地局装置Ａと移動局装置Ｂとの間の処理の流れを示すシーケンス図と、アップリンクグラント、ダウンリンクグラント、ＰＤＳＣＨに含まれる情報を示した図である。
【００３５】
図２における、移動局装置Ｂから基地局装置Ａへのグラントの通知及び上りリンクＭＩＭＯ空間多重に利用するプレコーダの通知と、これを利用した上りリンク信号の送信に関する処理について説明する。まず、移動局装置Ｂは基地局装置Ａへ参照信号を送信し（４０１）、基地局装置はこの参照信号から上りリンクの伝搬路状況を算出し、各周波数ブロックに対して適用されるプレコーダ（サブバンドＰＭＩを用いて通知する）と、全周波数ブロックに対して適用されるプレコーダ（ワイドバンドＰＭＩを用いて通知する）を算出する（４０２）。
【００３６】
次に、基地局装置Ａは移動局装置Ｂへアップリンクグラントを送信する（４０３）。アップリンクグラントは以下に示す２つの情報を含んでおり、これは、図４（ｂ）の符号４１２に示されている。情報のうちの１つ目は、上りリンク信号を復調するための情報であり、移動局装置と基地局装置で共通の認識をしておくべき情報であり、変調レベル、符号化率の情報やＨＡＲＱの再送系列を特定するための情報の他、各移動局装置に対する上りリンク信号の送信割り当て、送信タイミング、プレコーダの利用要求などが含まれる（４１２−１）。ここで、プレコーダの利用要求は、移動局装置が基地局装置から通知されるサブバンドＰＭＩを用いて上りリンク信号をプレコーディングする要求である。２つ目は、ワイドバンドＰＭＩである（４１２−２）。
【００３７】
次に、基地局装置Ａは移動局装置Ｂへダウンリンクグラントを送信する（４０４）。ダウンリンクグラントは、以下に示す２つの情報を含んでおり、これは図４（ｂ）の４１３に示されている。情報のうちの１つ目は、ＰＤＳＣＨを復調するための情報であり、変調レベル、符号化率の情報やＨＡＲＱの再送系列を特定するための情報の他、ＰＤＳＣＨの送信タイミング、ＰＤＳＣＨの送信割り当てなどが含まれる（４１３−１）。２つ目は、ＰＤＳＣＨの中のサブバンドＰＭＩの割り当て情報である（４１３−２）。
【００３８】
次に、基地局装置Ａは、符号４０４で送信されたダウンリンクグラントの変調レベル、符号化率の情報やＰＤＳＣＨの送信タイミングや送信割り当てなどに従って、移動局装置ＢへサブバンドＰＭＩを含むＰＤＳＣＨを送信する（４０５）。ＰＤＳＣＨには、以下に示す２つの情報を含んでおり、これは、図４（ｂ）の符号４１４で示されている。情報のうちの１つ目は、上位レイヤの制御情報を含めたデータ信号であり（４１４−１）、２つ目は、サブバンドＰＭＩである（４１４−２）。ここで、サブバンドＰＭＩは、直接通知してもよく、また、すでに通知されたサブバンドＰＭＩに対する差分を通知してもよい。ここで４１４の信号の配置は例であり、４１４におけるデータ信号とサブバンドＰＭＩの位置関係を逆にした配置やデータとサブバンドＰＭＩを混成した構成にしてもよく、データ信号やサブバンドＰＭＩは、ＰＤＳＣＨのいずれに構成、配置しても良い。また、データ信号やサブバンドＰＭＩは、同じ変調レベル、符号化率を適用してもよく、また、異なる変調レベル、符号化率を適用してもよい。
【００３９】
次に、上記４０３で通知されるアップリンクグラント、４０４で通知されるダウンリンクグラント、４０５で通知されるＰＤＳＣＨを受信した移動局装置Ｂは、ダウンリンクグラントに記載された変調レベル、符号化率の情報やＰＤＳＣＨの送信タイミングや送信割り当て、サブバンドＰＭＩの割り当て情報などを利用してＰＤＳＣＨからサブバンドＰＭＩを抽出する（４０６）。次に、アップリンクグラントで通知された変調レベル、符号化率の情報や各移動局装置に対する上りリンク信号の送信割り当て、送信タイミングなどを基に上りリンクデータを変調した後、アップリングラントに従って抽出したサブバンドＰＭＩを利用して送信信号をプレコーディングする（４０７）。
【００４０】
このとき、サブバンドＰＭＩを正しく受信できなかった場合、ワイドバンドＰＭＩで通知されたプレコーダを利用してプレコーディングを行う。例えば、サブバンドＰＭＩにおいて誤りを検出したなどの場合には、ワイドバンドＰＭＩで通知されたプレコーダを用いて上りリンク信号をプレコーディングする。一方、利用したプレコーダを示すＰＭＩ情報（サブバンドＰＭＩか、ワイドバンドＰＭＩ）を通知するために、ワイドバンドＰＭＩで通知されたプレコーダを用いてこのＰＭＩ情報をプレコーディングする（４０８）。
【００４１】
ＰＭＩ情報を含めた上りリンク信号は、アップリンクグラントに従ったリソースに基づいて基地局装置Ａに送信される（４０９）。ここで、送信される上りリンク信号は、以下に示す２つの情報を含んでおり、これは、図４（ｂ）の符号４１５に示されている。情報の１つ目は、上位レイヤの制御情報を含んだデータ信号であり（４１５−１）、２つ目は、利用したプレコーダを示すＰＭＩ情報である（４１５−２）。４１５におけるＰＭＩ情報の配置は例であり、インタリーブにより周波数ダイバーシチの効果を得るために、上りリンクデータ信号に分散配置しても良い。さらに、ＰＭＩ情報は、例えば、上りリンク信号の１ビットを用いて通知される。この１ビットは、図４（ｃ）の４１６に示すように、“０”をサブバンドＰＭＩで通知されたプレコーダが利用されたこととし、“１”をワイドバンドＰＭＩで通知されたプレコーダが利用されたこととする（４１６）。または、これとは逆に割り当てても良い。さらに通信品質を向上するためにこの１ビットに誤り訂正符号化を行って良い。
【００４２】
基地局装置Ａでは、まずアップリンクグラントにおける変調レベル、符号化率の情報や上りリンク信号の送信割り当て、送信タイミング、ワイドバンドＰＭＩに従い、上りリンク信号からＰＭＩ情報を抽出する（４１０）。次に、４１０でＰＭＩ情報を復調するために用いたアップリンクグラントの情報や４１０で抽出したＰＭＩ情報に従って、上りリンクデータ信号を復調する（４１１）。
【００４３】
これに対して、４０８で、移動局装置が利用したプレコーダを示すＰＭＩ情報を上りリンク信号に含まない場合、基地局装置では、４１０の抽出処理は行わずスキップし、４１１では、まず、サブバンドＰＭＩで通知されたプレコーダを利用してプレコーディングしたと想定し上りリンク信号を復調する。この際に、正しく復調できなかった場合には、ワイドバンドＰＭＩで通知されたプレコーダを利用してプレコーディングしたと想定し上りリンク信号を復調する。ここで、サブバンドＰＭＩで通知されたプレコーダとワイドバンドＰＭＩで通知されたプレコーダとのうちどちらを先に想定して復調しても良い。また、これらの２種類の復号処理を並列に復調し、結果として誤りなく復調された信号を上りリンクデータ信号としても良い。
【００４４】
以上の処理により、サブバンドＰＭＩの割り当て情報とサブバンドＰＭＩが別々に送信される状況において、アップリンクグラントを用いてワイドバンドＰＭＩを通知することにより、サブバンドＰＭＩを正しく受信できない場合においても、移動局装置Ｂは、ワイドバンドＰＭＩで通知されたプレコーダを利用してプレコーディングすることにより、上りリンク信号の送信不可の状況を防ぐことが可能となる。
【００４５】
（第２の実施の形態）
図５は、本実施の形態による移動通信システムにおける、基地局装置と移動局装置との間の処理の流れを示すシーケンス図と、アップリンクグラント、ダウンリンクグラント、ダウンリンクデータに含まれる情報の構成例を示す図である。図５（ａ）で示されたシーケンス図の時間範囲において、移動局装置Ｂと基地局装置Ａとの間での上りリンクデータ信号の通信について、本実施の形態で示された時間範囲においては、ＭＩＭＯ・ＳＭ方式による空間多重が行われるものとする。本実施の形態は、基地局装置と１つの移動局装置との間の処理（手続き）について説明したが、複数の移動局装置が基地局装置と通信する場合についても、同様の処理により実行することができ、そのような処理（手段）も本発明の範疇に入るものである。
【００４６】
図５は、本実施の形態による移動通信システムにおける、基地局装置と移動局装置との間の処理の流れを示すシーケンス図と、アップリンクグラント、ダウンリンクグラント、ＰＤＳＣＨを示した図である。
【００４７】
本実施の形態による移動通信システムでは、アップリンクグラントを用いてＰＭＩを通知することを行わず、ＰＤＳＣＨで通知されたプレコーダを利用しない場合には移動局装置はプレコーダを施さずに上りリンク信号を送信することが第１の実施の形態と異なる。
【００４８】
まず、移動局装置Ｂは基地局装置Ａへ参照信号を送信し（５０１）、基地局装置Ａはこの参照信号から上りリンクの伝搬路状況を算出し、各周波数ブロックにおいて最適なプレコーダ（サブバンドＰＭＩを用いて通知する）を算出する（５０２）。次に、基地局装置Ａは移動局装置Ｂへアップリンクグラントを送信する（５０３）。アップリンクグラントは、図５（ｂ）において符号３１２に示されており、上りリンク信号を復調するための情報として、変調レベル、符号化率の情報やＨＡＲＱの再送系列を特定するための情報の他、各移動局装置に対する上りリンク信号の送信割り当て、送信タイミング、プレコーダの利用要求などが含まれている。
【００４９】
次に、基地局装置は移動局装置へダウンリンクグラントを送信する（５０４）。ダウンリンクグラントは、５１３に示されており、以下に示す２つの情報を含んでいる。１つ目は、ＰＤＳＣＨを復調するための情報であり、変調レベル、符号化率の情報やＨＡＲＱの再送系列を特定するための情報の他、ＰＤＳＣＨの送信タイミング、ＰＤＳＣＨ送信割り当てなどが含まれる（５１３−１）。２つ目は、ＰＤＳＣＨの中のサブバンドＰＭＩの割り当て情報である（５１３−２）。
【００５０】
次に、基地局装置は移動局装置へＰＤＳＣＨを送信する（５０５）。ＰＤＳＣＨは、図５（ｂ）の５１４に示されており、以下に示す２つの情報を含んでいる。１つ目の情報は、上位レイヤの制御情報を含めたデータ信号である（５１４−１）。２つ目の情報は、サブバンドＰＭＩである（５１４−２）。このとき、サブバンドＰＭＩは、直接通知してもよく、また、すでに通知されたＰＭＩに対する差分を通知してもよい。ここで、５１４の信号の配置は例であり、５１４におけるデータ信号とＰＭＩの位置関係を逆にした配置やデータとＰＭＩを混成した構成にしてもよく、データ信号やサブバンドＰＭＩは、ＰＤＳＣＨのいずれに構成、配置しても良い。また、データ信号やサブバンドＰＭＩは、同じ変調レベル、符号化率を適用してもよく、また、異なる変調レベル、符号化率を適用してもよい。
【００５１】
次に、５０３で通知されるアップリンクグラント、５０４で通知されるダウンリンクグラント、５０５で通知されるＰＤＳＣＨを受信した移動局装置Ｂは、ダウンリンクグラントに記載された情報を利用してＰＤＳＣＨからサブバンドＰＭＩを抽出する（５０６）。ここで、ダウンリンクグラントを正しく受信できなかった場合、例えば、ダウンリンクグラントにおいて誤りを検出した場合には、サブバンドＰＭＩを利用することはできない。
【００５２】
次に、移動局装置Ｂは、アップリンクグラントで通知された変調レベル、符号化率の情報や各移動局装置Ｂに対する上りリンク信号の送信割り当て、送信タイミングなどを基に上りリンクデータを変調した後、アップリンクグラントに従って抽出したサブバンドＰＭＩを利用し送信信号をプレコーディングする（５０７）。一方、例えば、５０６でサブバンドＰＭＩにＣＲＣを事前に付加し、誤りを検出したなどの場合には、プレコーディングを行わない。
【００５３】
次に、移動局装置Ｂは、５０７においてサブバンドＰＭＩで通知されたプレコーダを利用したかを表す情報を上りリンクデータの一部に含める（５０８）。プレコーダを利用したかを表す情報を含めた上りリンク信号は、アップリンクグラントに従ったリソースに基づいて基地局装置Ａへ送信される（５０９）。ここで、送信される上りリンク信号は、以下に示す２つの情報を含んでおり、これは、図５（ｂ）の５１５に示されている。１つ目の情報は、上位レイヤの制御情報を含んだデータ信号であり（５１５−１）、２つ目の情報は、サブバンドＰＭＩで通知されたプレコーダを利用したかを表す情報である（５１５−２）。５１５は、プレコーダ利用の有無を表す情報の配置は例であり、インタリーブにより周波数ダイバーシチの効果を得るために分散配置しても良い。ここで、プレコーダ利用の有無を表す情報は、例えば、上りリンク信号の１ビットを用いて通知される。この１ビットは、“０”をプレコーダが利用されたこととし、“１”をプレコーダが利用されなかったこととする（図５（ｃ）の５１６）。または、これとは逆に割り当てても良い。さらにこの１ビットに誤り訂正符号化を行って良い。基地局装置Ａでは、まずアップリンクグラントに従い、上りリンクデータ信号からプレコーダ利用の有無を示す情報を抽出する（５１０）。次に、アップリンクグラントや５１０で抽出したプレコーダ利用の有無を示す情報に従って、上りリンクデータを復調する（５１１）。
【００５４】
５０８で、移動局装置がプレコーダを利用したかを示す情報を上りリンクデータ信号に含まない場合、基地局装置は、５１０は処理を行わず通過し、５１１では、まず、プレコーディングが行われたと想定して上りリンク信号を復調する。このとき、正しく復調できなかった場合には、プレコーディングが行われなかったと想定して上りリンク信号を復調する。ここで、プレコーディングが行われた場合と行われなかった場合のうちどちらを先に想定して復調しても良い。また、これらの２種類の復号処理を並列に復調し、結果として誤りなく復調された信号を上りリンクデータ信号としても良い。
【００５５】
以上により、サブバンドＰＭＩの割り当て情報とサブバンドＰＭＩが別々に送信される状況において、サブバンドＰＭＩを正しく受信できない状況においても、移動局装置は、プレコーディングを利用しないことにより、上りリンク信号の送信不可の状況を防ぐことが可能となる。
【００５６】
（第３の実施の形態）
図６は、本発明の第３の実施の形態による移動通信システムにおける、基地局装置Ａと移動局装置Ｂとの間の処理の流れを示すシーケンス図（図６（ａ））と、アップリンクグラント、ダウンリンクグラント、ダウンリンクデータに含まれる情報を示した図（図６（ｂ））である。ここで示されたシーケンス図の時間範囲において、移動局装置Ｂと基地局装置Ａとの間での上りリンクデータ信号の通信について、本実施の形態で示された時間範囲においては、ＭＩＭＯ・ＳＭ方式による空間多重が行われるものとする。本実施の形態は、基地局装置Ａと１つの移動局装置Ｂとの間の処理（手続き）を例にして説明しているが、複数の移動局装置が基地局装置と通信する場合においても同様の処理（手段）により実施することができる。
【００５７】
上述のように、図６は、本実施の形態による移動通信システムにおける、基地局装置Ａと移動局装置Ｂとの間の処理の流れを示すシーケンス図と、アップリンクグラント、ダウンリンクグラント、ＰＤＳＣＨを示した図である。但し、図６における初期状態は、移動局装置Ｂが基地局装置Ａに対して、基地局装置Ａから通知されたサブバンドＰＭＩで通知されたプレコーダを利用してプレコーディングを行った上りリンク信号を少なくとも１回は送受信に成功した後であり、移動局装置Ｂも基地局装置Ａも現在の送信タイミングより一つ前に用いたサブバンドＰＭＩを保持している。
【００５８】
本実施の形態による移動通信システムは、サブバンドＰＭＩが利用できなかった場合に、ある送信タイミングにおけるサブバンドＰＭＩで通知されたプレコーダを利用するのではなく、その送信タイミングより前におけるサブバンドＰＭＩで通知されたプレコーダを利用し、プレコーディングする点で、上記の第１、第２の実施の形態とは異なる。ここでは、事前に行われたプレコーディングされた上りリンク信号の送信過程は、第２の実施の形態と同じであるためその説明を省略する。
【００５９】
プレコーディングされた上りリンク信号の送受信後も、基地局装置Ａと移動局装置Ｂとの間の処理手順は同じである。まず、移動局装置Ｂから基地局装置Ａへ参照信号を送信し（６０１）、基地局装置Ａはこの参照信号から上りリンクの伝搬路状況を算出し、各周波数ブロックに対して適用されるプレコーダ（サブバンドＰＭＩを用いて通知する）を算出する（６０２）。
【００６０】
次に、基地局装置Ａは、移動局装置Ｂへアップリンクグラントを送信する（６０３）。アップリンクグラントは、図６（ｂ）の６１４に示されており、上りリンク信号を復調するための情報として、変調レベル、符号化率の情報やＨＡＲＱの再送系列を特定するための情報の他、上りリンク信号の送信割り当て、送信タイミング、プレコーダの利用要求などが含まれる。
【００６１】
次に、基地局装置Ａは、移動局装置Ｂへダウンリンクグラントを送信する（６０４）。ダウンリンクグラントは、図６（ｂ）の６１５に示されており、以下に示す２つの情報を含んでいる。１つ目の情報は、ＰＤＳＣＨを復調するための情報であり、変調レベル、符号化率の情報やＨＡＲＱの再送系列を特定するための情報の他、ＰＤＳＣＨの送信タイミングや送信割り当てなどが含まれる（６１５−１）。２つ目の情報は、ＰＤＳＣＨの中のＰＭＩの割り当て情報である（６１５−２）。
【００６２】
次に、基地局装置Ａは、６０４で送信されたダウンリンクグラントの変調レベル、符号化率の情報やＰＤＳＣＨの送信タイミング、送信割り当てなどに従って移動局装置へＰＤＳＣＨを送信する（６０５）。ＰＤＳＣＨは、図６（ｂ）の６１６に示されており、以下に示す２つの情報を含んでいる。１つ目の情報は、上位レイヤの制御情報を含むデータ信号である（６１６−１）。２つ目の情報は、サブバンドＰＭＩである（６１６−２）。ここで、サブバンドＰＭＩは、直接通知してもよく、また、すでに通知されたサブバンドＰＭＩに対する差分を通知してもよい。ここで６１６の信号配置は一例であり、６１６におけるデータ信号とサブバンドＰＭＩの位置関係を逆にした配置やデータとサブバンドＰＭＩを混成した構成にしてもよく、データ信号やサブバンドＰＭＩは、ＰＤＳＣＨのいずれに構成、配置しても良い。また、データ信号やサブバンドＰＭＩは、同じ変調レベル、符号化率を適用してもよく、また、異なる変調レベル、符号化率を適用しても良い。
【００６３】
次に、６０３で通知されるアップリンクグラント、６０４で通知されるダウンリンクグラント、６０５で通知されるＰＤＳＣＨを受信した移動局装置Ｂは、ダウンリンクグラントに記載された変調レベル、符号化率の情報やＰＤＳＣＨの送信タイミングや送信割り当て、サブバンドＰＭＩの割り当て情報などを利用してＰＤＳＣＨからサブバンドＰＭＩを抽出する（６０６）。次に、アップリンクグラントで通知された変調レベル、符号化率の情報や各移動局装置に対する上りリンク信号の送信割り当て、送信タイミングなどを基に上りリンクデータを変調した後、アップリンクグラントに従って抽出したサブバンドＰＭＩを利用しプレコーディングする（６０７）。このとき、サブバンドＰＭＩを正しく受信できない場合、例えば、ダウンリンクグラントにおいて誤りを検出した場合、現在の送信タイミングにおけるサブバンドＰＭＩで通知されたプレコーダを利用することはできない。
【００６４】
次に、移動局装置は、６０６で抽出したサブバンドＰＭＩで通知されたプレコーダを利用して、アップリンクグラントで通知された変調レベル、符号化率の情報や各移動局装置Ｂに対する上りリンク信号の送信割り当て、送信タイミングなどを基に上りリンクデータを変調した後、アップリンクグラントに従って、抽出したサブバンドＰＭＩを利用しプレコーディングする（６０７）。このとき、サブバンドＰＭＩを正しく受信できない場合には、現在よりも一つ前のタイミングにおけるサブバンドＰＭＩで通知されたプレコーダを利用する。このとき、プレコーダを利用すべきでないと判断した場合には、プレコーダを利用しない。
【００６５】
次に、移動局装置Ｂは、６０７において利用したプレコーダを示すＰＭＩ情報（現在の送信タイミングにおけるサブバンドＰＭＩにより通知されたプレコーダまたは、直前の送信タイミングにおけるサブバンドＰＭＩにより通知されたプレコーダ、またはプレコーダを利用しない）を上りリンク信号の一部に含める（６０８）。
【００６６】
ＰＭＩ情報を含めた上りリンクデータ信号は、アップリンクグラントに従ったリソースに基づいて基地局装置へ送信される（６０９）。ここで、送信される上りリンク信号は、以下に示す２つの情報を含んでおり、これは、図６（ｂ）の６１７に示されている。１つ目の情報は、上位レイヤの制御情報を含んだデータ信号であり（６１７−１）、２つ目の情報は、利用したプレコーダを示すＰＭＩ情報である（６１７−２）。６１７におけるＰＭＩ情報の配置は例であり、インタリーブにより周波数ダイバーシチの効果得るために、上りリンクデータ信号に分散配置しても良い。さらに、ＰＭＩ情報は、例えば、上りリンクデータ信号の２ビットを用いて通知される。この２ビットは、“００”を現在の送信タイミングにおいて利用したプレコーダを示すサブバンドＰＭＩ（現在のＰＭＩ）とし、“０１”を現在より一つ過去の送信タイミングにおいて利用したプレコーダを示すサブバンドＰＭＩ（直前のＰＭＩ）とし、“１１”をプレコーダの利用なしとする（図６（ｃ）の６１８）。または、これとは違うビット割り当てでも良い。さらに通信品質を向上するためにこの２ビットに誤り訂正符号化を行って良い。次に、移動局装置Ｂは、上りリンク信号の送信後、現在のプレコーダを保持し、直前のプレコーダを破棄する（６１０）。このとき、移動局装置Ｂにおいて直前のプレコーダが利用された場合には、直前のプレコーダを保持する。
【００６７】
基地局装置Ａでは、まずアップリンクグラントにおける変調レベル、符号化率の情報や上りリンク信号の送信割り当て、送信タイミングに従い、上りリンク信号から利用したプレコーダ情報を抽出する（６１１）。次に、６１１で用いたアップリンクグラントの情報や６１１で抽出したＰＭＩ情報に従って、上りリンクデータを復調する（６１２）。次に、直前のＰＭＩを破棄し、現在のＰＭＩを保持する（６１３）。このとき、移動局装置において直前のＰＭＩが利用された場合には、直前のＰＭＩを保持する。
【００６８】
これに対して、６０８で、移動局装置Ｂが利用したプレコーダを示すサブバンドＰＭＩを示す情報を上りリンク信号に含まない場合、基地局装置Ａは、６１１の処理を行わず通過し、６１２では、まず、現在のサブバンドＰＭＩで通知されるプレコーダを利用したと想定して上りリンク信号を復調する。このとき、正しく復調できなかった場合には、直前のサブバンドＰＭＩで通知されるプレコーダを利用したと想定して上りリンク信号を復調する。さらに、正しく復調できなかった場合には、プレコーダを利用しなかったと想定して上りリンク信号を復調する。ここで、現在のサブバンドＰＭＩで通知されるプレコーダを利用した場合と直前のサブバンドＰＭＩで通知されるプレコーダを利用した場合、プレコーダを利用しなかった場合のうちどれを先に想定して復調しても良い。また、これら２種類の復号処理を並列に復調し、結果として誤りなく復調された信号を上りリンクデータ信号としても良い。
【００６９】
以上により、サブバンドＰＭＩの割り当て情報とサブバンドＰＭＩが別々に送信される状況において、サブバンドＰＭＩを正しく受信できない場合においても、移動局装置が、直前の送信タイミングにおけるサブバンドＰＭＩにより通知されるプレコーダを利用する、または、プレコーダを利用しないことにより、上りリンク信号の送信不可の状況を防ぐことが可能となる。
【００７０】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００７１】
また、「コンピュータシステム」は、ＷＷＷシステムを利用している場合であれば、ホームページ提供環境（あるいは表示環境）も含むものとする。
【００７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００７３】
本発明は、通信装置に利用可能である。
【図面の簡単な説明】
【００７４】
【図１】本発明の実施の形態による基地局装置の一構成例を示す機能ブロック図である。
【図２】本発明の実施の形態による移動局装置の一構成例を示す機能ブロック図である。
【図３】１サブフレーム中のＰＤＣＣＨにおける複数のグラント候補とその候補から移動局装置に適合したグラントを探索する処理の流れの概略を示す図である。
【図４】本実施の形態による移動通信システムにおける、基地局装置と移動局装置との間の処理の流れを示すシーケンス図と、アップリンクグラント、ダウンリンクグラント、ＰＤＳＣＨに含まれる情報を示した図である。
【図５】本発明の第２の実施の形態による移動通信システムにおける、基地局装置と移動局装置との間の処理の流れを示すシーケンス図と、アップリンクグラント、ダウンリンクグラント、ダウンリンクデータに含まれる情報の構成例を示す図である。
【図６】本発明の第３の実施の形態による移動通信システムにおける、基地局装置と移動局装置との間の処理の流れを示すシーケンス図（図６（ａ））と、アップリンクグラント、ダウンリンクグラント、ダウンリンクデータに含まれる情報を示した図（図６（ｂ））である。
【符号の説明】
【００７５】
１１０…送信部、１１１…変調・多重化・マッピング部、１１２…無線送信部、１２０…スケジューリング部、１２１…上りリンクスケジューリング部、１２２…下りリンクスケジューリング部、１２６…ＭＣＳ制御部、１２７…ダウンリンクグラント生成部、１３０…受信部、１３２…無線受信部、１３３…上りリンク品質計算部、１３１…復調・データ分離部、１４０…アンテナ、２１０…送信部、２１１…変調部、２１２…プレコーディング部、２１３…マッピング部、２１４…無線送信部、２２２…上りリンク制御情報管理部、２２４…プレコーダ管理・制御部、２２５…ＭＣＳ管理・制御部、２２６…アップリンクグラント管理部、２３１…復調・データ分離部、２３３…ダウンリンクグラント部、２４０…アンテナ。
【図１】
2010098580.tif 000003
【図２】
2010098580.tif 000004
【図３】
2010098580.tif 000005
【図４】
2010098580.tif 000006
【図５】
2010098580.tif 000007
【図６】
2010098580.tif 000008